【事件の表示】
　特願２００２−１６２１０９「ディスク装置」拒絶査定不服審判事件〔平成１５年１月３１日出願公開、特開２００３−３０９７４〕について、次のとおり審決する。
【結　論】
　本件審判の請求は、成り立たない。
【理　由】
１．手続きの経緯・本願発明
　本願は、 平成４年１０月１９日を国際出願日とする特願平５−５０９１３７号（優先権主張：平成３年１１月２２日　特願平３−３０７９７６号、平成４年１月７日　特願平４−７４５号、平成４年１月７日　特願平４−８４０号、平成４年１月１６日　特願平４−５４３３号、平成４年３月１２日　特願平４−５３１７７号、平成４年３月１８日　特願平４−６１７０４号、平成４年３月１９日　特願平４−６３６４０号、平成４年５月８日　特願平４−１１５７７１号　、平成４年６月３０日　特願平４−１７１３７２号、平成４年８月７日　特願平４−２１１１４９号）の一部を平成１４年６月３日に新たな特許出願としたものであって、その請求項１乃至４に係る発明は、平成１９年１月９日付け手続補正書によって補正された明細書の記載からみて、本願の特許請求の範囲の請求項１乃至４に記載されたとおりのものと認められるところ、その請求項１に記載された発明（以下、「本願発明」という。）は次のとおりである。
　
「情報を記憶すると共に1.89インチ以下の直径を有する１枚のディスクと、
　該ディスクを回転させるディスク駆動部と、
　前記ディスクに対し情報の書き込みおよび読み出しを行うヘッド機構部と、
　少なくともインタフェース回路を含む電子回路とをハウジングの内部に備え、
　該ハウジングの外部に、前記電子回路と接続されたコネクタを有し、
　前記ハウジングとコネクタを含む平面の外形寸法が約85.6ｍｍ×54ｍｍであり、
　前記ハウジングを構成するベースおよびカバーが、鉄系の金属をプレス成形して作製され、これによって、前記ハウジングを含む装置全体の厚さ寸法が８ｍｍ以下に形成されるようになっていることを特徴とするディスク装置。」
　
　
　前記のとおり、、本願は、特許法第４１条に基づく１０件の優先権主張を伴うものである。これら１０件の先の出願を、検討の便宜上、番号を付して列記すると次のとおりである。
（１）平成３年１１月２２日の出願（特願平３−３０７９７６号）、
（２）平成４年１月７日の出願（特願平４−７４５号）、
（３）平成４年１月７日の出願（特願平４−８４０号）、
（４）平成４年１月１６日の出願（特願平４−５４３３号）、
（５）平成４年３月１２日の出願（特願平４−５３１７７号）、
（６）平成４年３月１８日の出願（特願平４−６１７０４号）、
（７）平成４年３月１９日出願（特願平４−６３６４０号）、
（８）平成４年５月８日の出願（特願平４−１１５７７１号）、
（９）平成４年６月３０日の出願（特願平４−１７１３７２号）、
（１０）平成４年８月７日の出願（特願平４−２１１１４９号）
　これら１０件の先の出願の出願当初明細書及び図面に記載された発明について検討すると、先の出願（１）（４）（５）（６）（７）及び（８）には、少なくとも、本願発明の「1.89インチ以下の直径を有するディスク」が自明な事項であるとの請求人の主張の根拠となっているＩＣメモリーカードサイズの磁気ディスク装置について、記載がない。
　先の出願（１）（２）（４）（５）（７）（８）及び（９）には、少なくとも本願発明のディスク装置のハウジングを、「プレス成形して」作製することについて、記載がない。
　先の出願（３）には、「鉄系の金属」をプレス成形すること、及び「ハウジングを含め装置全体の厚さ寸法が８ｍｍ以下」に形成されることについて、記載がない。
　
　先の出願（１０）について、審判請求人は、当審の拒絶理由通知に対する平成１９年１月９日付け意見書の「（３）先の出願に基づく国内優先権主張について」で、次のように主張している。
『１０件の先の出願の一つである特願平４−２１１１４９号（平成４年８月７日出願）の明細書中の段落番号【００１４】〜【００１６】では、本願の補正後の請求項１に記載されているとおり、「前述の特願平４−０００８４０号により提案されているカード型磁気ディスク装置に「０．４〜０．５ｍｍの鉄板を絞り加工（プレス加工）することによって一方が開口する容器形状のベースおよびカバーを形成する」手法を適用することによって、「ハウジングを含む装置全体の厚さ寸法を５ｍｍ（８ｍｍ以下）に形成する」旨が明記されております（因みに、出願当初の明細書の段落番号【０１２７】〜【０１３０】の部分参照）。』
　
　そこで、先の出願（１０）特願平４−２１１１４９号の明細書の、段落【００１４】から【００１６】に、「ハウジングを含む装置全体の厚さ寸法を８ｍｍ以下に形成する」ことが記載されているか否かについて検討すると、段落【００１６】には、
「【００１６】　図４、図５において、磁気ディスク装置21はＩＣメモリカードと同様な外形サイズ（54×85.6×５ｍｍ）のベース体22a とカバー体22b とからなる薄型の矩形筐体22を有している。このベース体22a とカバー体22b は厚み0.4 〜0.5ｍｍ の鉄板を絞り加工して一方が開口する容器構造としたもので、ベース体22a の高さ寸法は２ｍｍ、カバー体22b の高さ寸法が３ｍｍ、これらが合体した状態で５ｍｍの高さ寸法となる。そしてこの矩形筐体22の短辺の１つにはコネクタ31を取付けるスペースが設けられ、残りの３辺には図６の要部拡大断面図に示すように本発明の特徴に従って庇状に出っ張らせた鍔部221aと221bが設けられている。」
との記載がある。即ち、矩形筐体22（ハウジング）を５ｍｍの高さ寸法に形成した旨の記載がある。しかしながら、矩形筐体22（ハウジング）について、５ｍｍ以外の高さ寸法、例えば８ｍｍ、７ｍｍ、６ｍｍ又は４ｍｍにすることは記載されていないし、「８ｍｍ以下」との範囲を特定することが明示的に示されているわけでもない。又、高さ５ｍｍのただ一つの例から「８ｍｍ以下」の範囲を特定することが、自明な事項でもないことも明らかである。
　すると、「ハウジングを含む装置全体の厚さ寸法が８ｍｍ以下」との技術事項は、先の出願（１０）の出願当初明細書及び図面の記載の範囲内のものとすることができない。
　したがって、上記審判請求人の主張は採用できない。
　
　以上、出願（１）ないし（１０）についての検討を総合すると、前記１０件の先の出願の、出願当初の明細書及び図面には、本願発明の構成要件である技術事項が、単に部分的に含まれているにすぎず、本願発明（いうまでもないことであるが、請求項１に記載された構成要件の全てを含む発明を意味する。）は、本願の国内優先権主張の基礎とされた前記１０件の先の出願の、いずれの出願当初の明細書又は図面にも記載されていないことになる。
　したがって、本願発明に対しては、前記１０件の先の出願に基づく国内優先権主張の効果は、及ばないものである。請求項１を直接又は間接に引用する請求項２乃至請求項４に係る発明についても、同様に優先権主張の効果は及ばないものである。
　
　以上のとおりであるから、以下に本願発明について特許法第２９条第２項の適用を検討するに当たっては、本件分割出願の原出願の出願日とみなされる国際出願日である平成４年１０月１９日を判断の基準とした。
　
　
２．引用例 
 （１）これに対して、当審において平成１８年１０月３１日付けで通知した拒絶の理由に引用した英国特許出願公開第２２５４７２６号明細書（14.10.1992〔平成４年１０月１４日〕発行。以下、「引用例１」という。）には、磁気ディスク装置（Magnetic disk apparatus）について、次の事項が記載されている。
　翻訳文については、引用例１の英国特許出願を優先権主張の基礎として日本に出願した特許出願の内容を公開した特開平５−８１８４６号公報の記載を参考に、当審で付したものである。前記公報の対応箇所も参考までに付したが、記載した翻訳文は公報の記載と必ずしも一致するものではない。
　又、以下の検討において、各引用例の引用箇所の下線は当審で付した。
　
（ア）
“　
A conventional magnetic disk apparatus mounted in a personal computer
The mechanical parts such as the magnetic disk, the magnetic heads, the disk driving means, and so forth, and the electric circuits are contained compactly in the same box so as to reduce the size of the magnetic disk apparatus
「
パーソナルコンピュータ等に装着される従来の磁気ディスク装置
磁気ディスク、磁気ヘッドおよびディスク駆動手段等の機構部品と電気回路を同一の筐体内に収納することによって磁気ディスク装置をコンパクト化している
　
（イ）
“　In Fig. 1, a magnetic disk apparatus 1 comprises a first box 2a and a second box 2b. The first box 2a contains a magnetic disk. The second box 2b which is detachable from the first box 2a contains a logical operation circuit. The first box 2a is provided with a first connector 3a.
 
　The second box 2b is mounted in a personal computer main body 45 (see Fig. 11). By separating the first box 2a from the second box 2b, 
only the first box 2a can be detached from the personal computer main body 45. 
　
The second box 2b contains semiconductor parts such as an information unit circuit 4, an interface 5, a logical operation circuit 6 (logical operation means), and so forth. The logical operation circuit 6 is connected to the second connector 3b.
the first box 2a contains semiconductor parts and mechanical parts. The semiconductor parts are a read/write amplifier (R/W amplifier) 7, a mechanical portion driving circuit 8, a ROM (read only memory) 24, and so forth. The mechanical parts are a magnetic disk 11, a spindle motor (disk driving means) 12, magnetic heads 13, a head actuator 14 (head driving means), and so forth.
　The mechanical portion driving circuit 8 comprises a VCM driver 9 and a motor driver 10. The VCM driver 9 drives the head actuator 14. The motor driver 10 drives the spindle motor 12.
　Fig. 2 shows the inner construction of the first box 2a which contains a magnetic disk 11, where Fig. 2(a) is a plan view thereof and Fig. 2(b) is a side view thereof. In Fig. 2, the same structural elements as those in Fig. 1 are designated by the same reference numerals and their detail description is omitted.
　As shown in Fig. 2, each structural part is securely contained in the first box 2a. 
The shape of the first box 2a is substantially the same as that of a magnetic card or an integrated circuit (IC) card. The thickness of the first box 2a is in the range of from approximately 4 mm to 9 mm inclusive.
「図１において磁気ディスク装置１は、磁気ディスク収納用の第１の筐体２ａと、第１の筐体２ａに分離自在に接続された論理演算回路収納用第２の筐体２ｂとを備えている。第１の筐体２ａは第１コネクタ３ａを有している。
この第１コネクタ３ａは第２の筐体２ｂの第２コネクタ３ｂと結合する
　第２の筐体２ｂはパーソナルコンピュータ本体４５（図１１参照）に組込まれており、このため第１の筐体２ａを第２の筐体２ｂから分離することにより、
第１の筐体２ａのみをパーソナルコンピュータ本体４５から取外すことができる。
　
第２の筐体２ｂは、ここでは情報機器回路４、インタフェース５、論理演算回路６（論理演算手段）などの半導体部品を収納しており、論理演算回路６は第２コネクタ３ｂ
　他方、
第１の筐体２ａは、リード・ライトアンプ（Ｒ／Ｗアンプ）７、機構部駆動回路８、ＲＯＭ（リードオンリーメモリー）２４などの半導体部品と、磁気ディスク１１、スピンドルモータ１２（ディスク駆動手段）、磁気ヘッド１３、ヘッドアクチュエータ１４（ヘッド駆動手段）などの機構部品とを収納
　ＲＯＭ２４は例えば磁気ディスク１１のトラック数ｅｔｃ．等ディスク装置の記憶容量や磁気ヘッド１３の数、フォーマット型式、信号の転送速度、さらにはスピンドルモータ１２およびヘッドアクチュエータ１４のモータ定数、抵抗値、インダクタンスなど、第１の筐体２ａ内部個々部品に特有な情報（以下、「特定情報」と呼ぶ）を記憶している。
　機構部駆動回路８はヘッドアクチュエータ１４を駆動するためのＶＣＭドライバ９、およびスピンドルモータ１２を駆動するためのモータドライバ１０を有している。
　図２は、磁気ディスク収納用第１の筐体２ａの内部構造を示す図であり、このうち図２（ａ）はその平面図であり、図２（ｂ）はその側面図である。なお、図２において図１の構成要素と同一のものには同一符号を付して詳細な説明を省略する。
　図２に示すように、各構成部品は第１の筐体２ａ内部に密封収納されている。図２に示した
第１の筐体２ａの平面形状は磁気カードやＩＣカードとほぼ同一の形状となっており、その厚さは約４〜９ｍｍとなっている
　
（ウ）
“　In the above described construction according to the present invention, while the overall function of the conventional magnetic disk apparatus is provided, 
the first box 2a which contains the magnetic disk 11 can be separated from the second box 2b mounted in the personal computer main body 45. Thus, the size and the weight of the detachable portion, that is the first box 2a, can be reduced and the portability thereof can be improved.
「以上のように構成された本発明によれば、磁気ディスク装置１が第１の筐体２ａと第２の筐体２ｂとに分離自在となっているので、磁気ディスク装置１全体としての機能を従来技術のレベルに保ったまま、
磁気ディスク収納用第１の筐体２ａをパーソナルコンピュータ本体４５に組込まれた第２の筐体２ｂから分離することができる。このため第１の筐体２ａの小形化、軽量化を実現し、携帯性に優れたものとすることができる
　
（エ）
“　Fig. 13 is a perspective view of a first box 2a wherein an electric circuit device (mechanical portion driving circuit 8) is mounted in a cover side part 29a. In other words, 
the first box 2a is constructed of the cover side part 29a and a fixture side part 29b. A first mount part 51a made of an FPC (flexible print circuit) is bonded or screwed to the cover side portion 29a. 
　
The mechanical portion driving circuit 8 is mounted on the first mount part 51a secured to the cover side part 29a. The first mount part 51a is connected to a connector 3a mounted on the cover side portion 29a.
「図１３は第１の筐体２ａの蓋側部分２９ａに、電気回路素子（機構部駆動回路８）を実装した例を示す図である。すなわち
第１筐体２ａは蓋側部分２９ａと固定側部分２９ｂとからなり、蓋側部分２ａにＦＰＣ（フレキシブル・プリント・サーキット）からなる第１マウント部５１ａが接着またはネジ止めにより固定され
　
蓋側部分２９ａに取付けられた第１マウント部５１ａには機構部駆動回路８が実装されており、また第１マウント部５１ａは蓋側部分２９ａに取付けられたコネクタ３ａに接続され
　
（オ）
“　1. 
A magnetic disk apparatus comprising:
　
a magnetic disk;
　
magnetic heads for recording and reproducing information to and from said magnetic disk;
disk driving means for driving said magnetic disk;
　
head driving means for driving said magnetic heads;
　
a mechanical portion driving circuit for operating said disk driving means and said head driving means;
　
logical operation means for exchanging signals between said magnetic head and said mechanical portion driving circuit;
　
a first box for containing at least said magnetic disk, said magnetic head, said disk driving means, and said head driving means; and
　
a second box, detachably connected to said first box, for containing at least said logical operation means,
  
wherein signals are exchanged between said first box and said second box.
（明細書１７頁２〜２３行）
「１．
１枚の磁気ディスクと、
　
前記磁気ディスクに対する情報の記録・再生を行なうための磁気ヘッドと、
　
前記磁気ディスクを駆動するディスク駆動手段と、
　
前記磁気ヘッドを駆動するヘッド駆動手段と、
　
前記ディスク駆動手段および前記ヘッド駆動手段を作動させる機構部駆動回路と、
　
前記磁気ヘッドおよび前記機構部駆動回路との間で信号の授受を行なう論理演算手段と、
　
少なくとも前記磁気ディスク、前記磁気ヘッド、前記ディスク駆動手段、および前記ヘッド駆動手段を収納する第１の筐体と、
　
少なくとも前記論理演算手段を収納するとともに前記第１の筐体に分離自在に接続された第２の筐体とを備え、
　
前記第１の筐体と前記第２の筐体との間で信号の転送を行なう磁気ディスク装置。
　
　以上の（ア）乃至（オ）の記載によれば、パーソナルコンピュータに装着される磁気ディスク装置について、引用例には、次の発明（以下、「引用例１発明」という。）が記載されている。
「１枚の磁気ディスクと、
　前記磁気ディスクに対する情報の記録・再生を行なうための磁気ヘッドと、
　前記磁気ディスクを駆動するディスク駆動手段と、
　前記磁気ヘッドを駆動するヘッド駆動手段と、
　前記ディスク駆動手段および前記ヘッド駆動手段を作動させる機構部駆動回路と、
　前記磁気ヘッドおよび前記機構部駆動回路との間で信号の授受を行なう論理演算回路、情報機器回路、インタフェースと、
　前記磁気ディスク、前記磁気ヘッド、前記ディスク駆動手段、前記ヘッド駆動手段、前記ディスク駆動手段および前記ヘッド駆動手段を作動させる前記機構部駆動回路を収納する第１の筐体と、
　前記論理演算回路、前記情報機器回路、前記インタフェースを収納する第２の筐体とを備えた磁気ディスク装置であって、
　前記第１の筐体は、蓋側部分と固定側部分とからなり、各構成部品が内部に密封収納され、平面形状はＩＣカードとほぼ同一の形状であり、その厚さは約４〜９ｍｍに形成され、パーソナルコンピュータ本体から取外すことができ、
　前記蓋側部分には、前記機構部駆動回路が実装されたフレキシブル・プリント・サーキットが接続された第１コネクタが取り付けられ、
　前記第１コネクタと前記第２の筐体の第２コネクタとが結合することにより信号の転送を行う磁気ディスク装置。」
　
（２）同じく、当審の拒絶の理由中に引用した特開平３−１０８１７８号公報（以下、「引用例２」という。）には、磁気ディスク記憶装置について、以下の事項が記載されている。
　　
（カ）
「直径約２６ｍｍ即ち
約１インチのディスク
Ｅ．実施例
　第１図を参照すると、本発明の
磁気ディスク・ドライブ
　
（３）同じく、当審の拒絶の理由中に引用した特開昭６４−８５７８号公報（以下、「引用例３」という。）には、磁気ディスク装置について、以下の事項が記載されている（なお、下線は当審で付与した。）。
　　
（キ）
「第３図は本発明の磁気ディスク装置の他の一例の説明図である。３１は、チャンバー、３２はベース・プレート、３３は発泡シール、３４は止めネジ、３６は磁気ディスク、３７は磁気ヘッド、３８は、
チャンバー３１とベース・プレート３２とを止めネジ３４を用いてネジ止めされた磁気ディスク装置、
　
（ク）
「チャンバー３１及びベース・プレート３２等の材質として、アルミニウム合金や
鉄合金
　
（４）同じく、当審の拒絶の理由中に引用した特開昭４９−１１４５６９号公報（以下、「引用例４」という。）には、筐体の加工方法について、以下の事項が記載されている（なお、下線は当審で付与した。）。
　　
（ケ）
「加工する扉（１）の大きさと四辺の折曲げ高さとによつて裁断された
鉄板
プレス加工により四辺を所定方向に折曲げ
　
（５）同じく、当審の拒絶の理由中に引用した特開平２−２３２７９３号公報（以下、「引用例５」という。）には、ＩＣメモリカードについて、以下の事項が記載されている（なお、下線は当審で付与した。）。
　　
（コ）
「（１）、
パーソナルコンピュータ本体に挿抜可能なＩＣメモリカード
インターフェイス回路を設け
　
（サ）
「（産業上の利用分野）
　本発明はパーソナルコンピュータ等の
記憶媒体として用いられるＩＣメモリカード
　
（シ）
「第１図は本発明に係る
ＩＣメモリカードの内部
　図中、１はパーソナルコンピュータ本体との間のインターフェイス接続機構をなすインターフェイスコネクタ（Ｉｎｔｅｒｆａｃｅ　Ｃｏｎｎｅｃｔｏｒ）であり、パーソナルコンピュータ本体とＩＣメモリカード内部のインターフェイスゲートアレイ２との間で後述する各種の信号・データ類を入出カするもので、ここでは６８極のツーピースコネクタにより実現される。
２はパーソナルコンピュータ本体とＩＣメモリカード内部のメモリチップとの間のインターフェイス制御機能をもつインターフェイスゲートアレイ（Ｉｎｔｅｒｆａｃｅ　Ｇａｔｅ　Ａｒｒａｙ）であり
パーソナルコンピュータ本体との間でバス（データ／アドレス）を含む以下のような信号授受を行なう
　
３．対　比 
　本願発明と引用例１発明とを対比する。
　引用例１発明では、「前記第１コネクタと前記第２の筐体の第２コネクタとが結合することにより信号の転送を行う磁気ディスク装置」と特定されているように、引用例１発明の「磁気ディスク装置」は、第１の筐体と第２の筐体とからなるのに対し、本願発明のディスク装置は、全体として一つの物であるから、引用例１発明の「第１の筐体」を本願発明の「ディスク装置」と対応させて、以下に検討していくこととする。
　引用例1発明の１枚の「磁気ディスク」は、情報の記録・再生をおこなうためのディスクであり、所定の直径を有していることは明らかであるから、本願発明の、「情報を記憶すると共に（所定の）直径を有する１枚のディスク」に相当する。
　引用例１発明の「磁気ディスクを駆動するディスク駆動手段」は、本願発明の、「ディスクを回転させるディスク駆動部」に相当する。
　引用例１発明の「磁気ディスクに対する情報の記録・再生を行なうための磁気ヘッド」と、「磁気ヘッドを駆動するヘッド駆動手段」は、本願発明の、「ディスクに対し情報の書き込みおよび読み出しを行うヘッド機構部」に相当する。
　引用例１発明の、ディスク駆動手段およびヘッド駆動手段を作動させる「機構部駆動回路」は、電子回路を形成している点に限り、本願発明の「電子回路」と共通する。
　引用例１発明の「第１の筐体」は、１枚の磁気ディスク、ディスク駆動手段、磁気ヘッド、ヘッド駆動手段、機構部駆動回路を収納している点において、本願発明の「ハウジング」と比較して、「情報を記憶すると共に所定の直径を有する１枚のディスクと、該ディスクを回転させるディスク駆動部と、前記ディスクに対し情報の書き込みおよび読み出しを行うヘッド機構部と」、「電子回路とをハウジングの内部に備え」た点に限り共通する。
　引用例１発明の「第１の筐体」が、「固定側部分」と「蓋側部分」とからなることは、本願発明の「ハウジング」が、「ベース及びカバー」で構成されることに相当する。
　引用例１発明の「第１の筐体」は、「各構成部品が内部に密封収納され」「その厚さは約４〜９ｍｍに形成され」たものであるから、その厚さが４〜８ｍｍの範囲においては、本願発明の「ディスク装置」が、「ハウジングを含む装置全体の厚さ寸法が８ｍｍ以下に形成されるようになっている」ことに相当する。
　引用例１発明の第１の筐体の蓋側部分に取付けられた「第１のコネクタ」は、機構部駆動回路と接続するもので、第２の筐体の第２のコネクタと結合するように外に一部を露出するのは当然であるから、、本願発明の「ディスク装置」が、「ハウジングの外部に、電子回路と接続されたコネクタを有し」との構成に相当する。
　引用例１発明の第１の筐体は、「平面形状はＩＣカードとほぼ同一の形状である」と特定されているところ、ＩＣメモリカードの平面形状が約85.6ｍｍ×54ｍｍであることが単なる技術常識であって（特開昭６２−１９９３９４号の約86ｍｍ×54ｍｍのメモリカード、特開昭６２−２５９１６１号公報の、平面85.6ｍｍ×54ｍｍのＩＣカード、実願平２−６１０８号（実開平３−９８０８０号）のマイクロフィルムの平面86ｍｍ×54ｍｍのメモリカード、及び本願出願当時周知のＩＣカードの規格である、ＰＣＭＣＩＡによるＴｙｐｅ Ｉ、Ｔｙｐｅ ＩＩ（ＰＣＭＣＩＡ　Ｓｔａｎｄａｒｄ　Ｒｅｌｅａｓｅ　１．０／ＪＥＩＤＡ　４．０　−　Ｊｕｎｅ　１９９０）、引用発明において記載されているに等しい事項といいうるものであるから、ハウジング及びコネクタを含む「第１の筐体」の平面の外形寸法は、本願発明の「ハウジングとコネクタを含む平面の外形寸法が約85.6ｍｍ×54ｍｍ」であることに相当する。
　
　そうすると、本願発明の「ディスク装置」と、引用例１発明の「第１の筐体」とは、次の一致点で一致し、各相違点で相違する。
　
〈一致点〉 
「情報を記憶すると共に（所定）の直径を有する１枚のディスクと、
　該ディスクを回転させるディスク駆動部と、
　前記ディスクに対し情報の書き込みおよび読み出しを行うヘッド機構部と、
　電子回路とをハウジングの内部に備え、
　該ハウジングの外部に、前記電子回路と接続されたコネクタを有し、
　前記ハウジングとコネクタを含む平面の外形寸法が約85.6ｍｍ×54ｍｍであり、
　前記ハウジングを構成するベースおよびカバーが作製され、これによって、前記ハウジングを含む装置全体の厚さ寸法が８ｍｍ以下に形成されるようになっているディスク装置。」
　
（相違点１）
ディスクの直径について、本願発明では「1.89インチ以下」と特定しているのに対して、引用例１発明では、それについて特定していない点。
（相違点２）
ベースおよびカバーの作製について、本願発明は「鉄系の金属をプレス成形して」と特定しているのに対して、引用例１発明では、それについて特定していない点。
（相違点３）
本願発明では、ハウジング内部に備える電子回路を「少なくともインタフェース回路を含む」と特定しているのに対して、引用例１発明では、このように特定していない点。
　
４．当審の判断 
　そこで、上記各相違点について検討する。
（相違点１）について
　引用例２の磁気ディスク記憶装置には、１インチの磁気ディスクが記載されているから、ディスクの直径が「１．８９インチ以下」との数値範囲に含まれ、これによると、当該数値範囲のディスクの直径は、何ら格別なものでないことが明らかである。
　又、平面形状が磁気カードやＩＣカードとほぼ同一の形状である第１筐体の磁気ディスク装置の引用例１発明において、平面形状が磁気カードやＩＣカードの85.6ｍｍ×54ｍｍの第１の筐体に収納される磁気ディスクの外周が、第１の筐体に接触しないで回転するためには、第１筐体の平面形状の小さい方の寸法、すなわち、54ｍｍ未満でなければならないことは自明な事項であり、54ｍｍ(2.13インチ)よりも約6ｍｍ小さい1.89インチ（48ｍｍ)以下との数値範囲としたことは、筐体を構成する板材自体の厚みや、ディスクの回転に必要な現実的な間隙も考慮すると、なんら格別な数値範囲でもなく、このような数値範囲とすることに格別困難な事情も見当たらないから、単なる設計事項の範囲にすぎないものであり、当業者が容易に想到しうるものである。
　
（相違点２）について
　引用例３には、チャンバーとベースプレート（カバーとベース）の材料を鉄系の金属とした磁気ディスク装置が記載されている。また、引用例４に記載されているように、鉄系の金属を成形する手段としてプレス成形は周知である。
　してみれば、引用例１発明の小型軽量の磁気ディスク装置において、磁気ディスクや磁気ヘッド及び電子回路を収納している第１の筐体（ハウジング）を構成する蓋側部分と固定側部分を、携帯されたときの落下による衝撃を考慮して、耐機械的衝撃性を高めるように、鉄系金属をプレス成形し作製することは、当業者が容易に想到しうるである。
　
（相違点３）について
　引用例１には、パーソナルコンピュータに装着される従来の磁気ディスク装置について、磁気ディスク、磁気ヘッドおよびディスク駆動手段等の機構部品と電気回路を同一の筐体内に収納し、コンパクト化されていることが記載されている。
　又、引用例５には、パーソナルコンピュータ本体に挿抜可能な記憶媒体として用いられるＩＣメモリカードの内部に、パーソナルコンピュータとの間で信号の授受をおこなうためのインターフェイスを設けることが記載されている。
　してみれば、第１の筐体をパーソナルコンピュータ本体に挿抜可能にしている引用例１発明の磁気ディスク装置において、引用例５のインターフェース回路を内部に含んでいるＩＣメモリカードや引用例１の従来の磁気ディスク装置に関する記載を参酌することにより、引用例１発明における第１の筐体のその内部にインタフェース回路を含んた電子回路を収納し、第１の筐体を含む磁気ディスク装置全体の厚さ寸法が第１の筐体で構成され、磁気ディスク装置全体がパーソナルコンピュータ本体に挿抜可能に形成することは、当業者が容易に想到しうるものである。
　
　結局、前記各相違点は、格別なものではなく、また、前記各相違点を総合的に検討しても、本願発明の奏する効果は、当業者が予測しうる範囲内のものにすぎない。
　
 ５．むすび 
　以上のとおり、本願の請求項１に係る発明は、引用例１乃至５に記載された発明及び周知技術に基づいて、当業者が容易に発明をすることができたものであるから、特許法第２９条第２項の規定により特許を受けることができない。 
　したがって、本願は、その余の請求項について論及するまでもなく、拒絶すべきものである。 
　よって、結論のとおり審決する。